(57)【特許請求の範囲】
【請求項１】
バッテリの充放電電流を検出する充放電電流検出手段と、
前記バッテリの端子電圧を検出する端子電圧検出手段と、
前記充放電電流検出手段で検出した充放電電流を積算して電流積算法充電率を算出する電流積算法充電率算出手段と、
前記充放電電流検出手段で検出した充放電電流および前記端子電圧検出手段で検出した端子電圧とから前記バッテリの開放電圧を推定し、該開放電圧から開放電圧推定法充電率を算出する開放電圧推定法充電率算出手段と、
前記電流積算法充電率算出手段で求めた電流積算法充電率から電流積算法充電率変化量を求めるとともに前記開放電圧推定法充電率算出手段で求めた開放電圧推定法充電率から開放電圧推定法充電率変化量を求め、前記電流積算法充電率変化量と前記開放電圧推定法充電率変化量の差に応じて重みを計算する重み付け計算手段と、
前記開放電圧推定法充電率算出手段で求めた開放電圧推定法充電率と前記重み付け計算手段で得た重みとを用いて前記開放電圧推定法充電率の前後時間での値につき加重平均処理を行って開放電圧推定法加重平均充電率を求める加重平均処理手段と、
を備えたことを特徴とするバッテリの充電率推定装置。
【請求項２】
請求項１に記載のバッテリの充電率推定装置において、
前記重み付け計算手段で得られた重みを、所定範囲内に収めるように前記重みを制限する上下重み制限手段を備え、
前記加重平均処理手段は、前記上下重み制限手段で制限された重みを用いて前記加重平均処理を行う、
ことを特徴とするバッテリの充電率推定装置。
【請求項３】
充放電電流検出手段で検出したバッテリの充放電電流を積算して電流積算法充電率を算出し、
前記充放電電流および端子電圧検出手段で検出した端子電圧とから前記バッテリの開放電圧を推定して、該開放電圧から開放電圧推定法充電率を算出し、
前記電流積算法充電率から電流積算法充電率変化量を求めるとともに前記開放電圧推定法充電率から開放電圧推定法充電率変化量を求め、前記電流積算法充電率変化量と前記開放電圧推定法充電率変化量の差に応じて重みを計算し、
前記開放電圧推定法充電率と前記重みとを用いて前記開放電圧推定法充電率の前後時間での値につき加重平均処理を行って開放電圧推定法加重平均充電率を求める、
ことを特徴とするバッテリの充電率推定方法。
【発明の詳細な説明】
【技術分野】
【０００１】
本発明は、電気自動車等に用いるバッテリの充電率を推定するバッテリの充電率推定装置に関する。
【背景技術】
【０００２】
たとえば、電気自動車やハイブリッド電気自動車などでは、これらの車両を駆動する電気モータへ電力を供給したり、制動時のエネルギを発電機として機能させる電気モータから、あるいは地上に設置した電源から、充電して電気エネルギを蓄積したりするため、リチャージャブル・バッテリ（二次電池）が用いられる。
【０００３】
この場合、長期にわたってバッテリを最適な状態に保つためには、バッテリの状態、とりわけ充電率（SOC:  State of Charge）を常にモニタして、バッテリ・マネージメントを行う必要がある。
従来の充電率検出方法としては、バッテリの電圧や電流などの出入りを時系列データですべて記録し、これらのデータを用いて電流を時間積分して現時点での電荷量を求め、バッテリに充電された電荷の初期値と満充電容量を用いて充電率を求める電流積算法（クーロン・カウント法あるいは逐次状態記録法ともいう）や、バッテリの入力電流値と端子電圧値を入力し、バッテリ等価回路モデルを用いてモデルの状態量である開放電圧値を逐次推定し、この開放電圧値から充電率を推定する開放電圧推定法が知られている。
【０００４】
上記各方法には一長一短があり、前者の電流積算法は、短時間での充電率の推定にあっては、開放電圧値を用いて充電率を推測する後者の開放電圧推定法より精度が高いものの、常時観測が必要である上、時間が経つにつれ誤差が集積されて精度が悪くなっていく。これに対し、後者の開放電圧推定法では、常時観測は必要ないものの、充電率の変化に対する開放電圧の変動が小さいため、短時間における充電量の変動量を推定するには、前者の電流積算法に劣っている。
そこで、これらの方法で得られた充電率の推定誤差を小さくするように上記電流積算法で得られた充電率（SOCi）と上記開放電圧推定法で得られた充電率（SOCV）との両方の充電率を用いて、充電率の推定精度を向上させようとする装置・方法が従来から知られている。
【０００５】
このような従来のバッテリの充電率推定装置の一つとしては、バッテリの電流、電圧および温度を測定して電流データ、電圧データおよび温度データを得るバッテリ情報獲得部と、電流データを積算して充電率（SOCi）を算出する電流積算部と、電流データ、電圧データおよびバッテリを、電気回路を通じて簡単に表現した等価回路モデルを用いて起電力（OCV）を算出する起電力算出部と、算出した起電力(OCV)と温度データを用いて充電率（SOCV）を推定するSOCV推定部と、一定時間区間でバッテリ電流状態を判断し、SOCiおよびSOCVの少なくとも一つを用いてバッテリの充電率（SOC）を設定するSOC設定部と、を備えたバッテリ管理システムが知られている（たとえば、特許文献１参照）。
ここで、上記SOC設定部では、一定時間区間を２０秒から６０秒とし、上記時間区間でバッテリ電流状態が低電流状態であると、充電率（SOCｖ）をバッテリの充電率（SOC）に設定し、その他の場合には充電率（SOCi）をバッテリの充電率（SOC）に設定するようにしている。
【先行技術文献】
【特許文献】
【０００６】
【特許文献１】特表２０１１−５１５６５１号公報
【発明の概要】
【発明が解決しようとする課題】
【０００７】
しかしながら、上記従来のバッテリ管理システムでは、起電力（OCV：開放電圧）推定において、低電流状態の場合であっても、推定開始直後や入力信号の状態（周波数成分やノイズなど）に起因して推定充電率が異常な過渡応答したり推定結果がハンチングしたりして真の充電率から大きくずれてしまうことがあるといった問題が生じる。
また、バッテリ電流状態が低電流状態にならない状態が長時間続くと、電流積算法による充電率（SOCi）が長時間継続され、この結果、積算誤差が累積されていき、推定値と正しい値との誤差が大きくなってしまうといった問題も生じる。
【０００８】
本発明は、上記問題に着目してなされたもので、その目的とするところは、バッテリの充電率(SOC)の推定誤差を少なく抑えることができるようにした充電率推定装置およびその方法を提供することにある。
【課題を解決するための手段】
【０００９】
この目的のため、請求項１に記載の第１発明によるバッテリの充電率推定装置は、
バッテリの充放電電流を検出する充放電電流検出手段と、
前記バッテリの端子電圧を検出する端子電圧検出手段と、
前記充放電電流検出手段で検出した充放電電流を積算して電流積算法充電率を算出する電流積算法充電率算出手段と、
前記充放電電流検出手段で検出した充放電電流および前記端子電圧検出手段で検出した端子電圧とから前記バッテリの開放電圧を推定し、該開放電圧から開放電圧推定法充電率を算出する開放電圧推定法充電率算出手段と、
前記電流積算法充電率算出手段で求めた電流積算法充電率から電流積算法充電率変化量を求めるとともに前記開放電圧推定法充電率算出手段で求めた開放電圧推定法充電率から開放電圧推定法充電率変化量を求め、前記電流積算法充電率変化量と前記開放電圧推定法充電率変化量の差に応じて重みを計算する重み付け計算手段と、
前記開放電圧推定法充電率算出手段で求めた開放電圧推定法充電率と前記重み付け計算手段で得た重みとを用いて前記開放電圧推定法充電率の前後時間での値につき加重平均処理を行って開放電圧推定法加重平均充電率を求める加重平均処理手段と、
を備えたことを特徴とする。
【００１０】
また、請求項２に記載のバッテリの充電率推定装置は、
請求項１に記載の発明において、
前記重み付け計算手段で得られた重みを、所定範囲内に収めるように前記重みを制限する上下重み制限手段を備え、
前記加重平均処理手段は、前記上下重み制限手段で制限された重みを用いて前記加重平均処理を行う、
ことを特徴とする。
【００１２】
また、請求項３に記載のバッテリの充電率推定方法は、
充放電電流検出手段で検出したバッテリの充放電電流を積算して電流積算法充電率を算出し、
前記充放電電流および端子電圧検出手段で検出した端子電圧とから前記バッテリの開放電圧を推定して、該開放電圧から開放電圧推定法充電率を算出し、
前記電流積算法充電率から電流積算法充電率変化量を求めるとともに前記開放電圧推定法充電率から開放電圧推定法充電率変化量を求め、前記電流積算法充電率変化量と前記開放電圧推定法充電率変化量の差に応じて重みを計算し、
前記開放電圧推定法充電率と前記重みとを用いて前記開放電圧推定法充電率の前後時間での値につき加重平均処理を行って開放電圧推定法加重平均充電率を求める、
ことを特徴とする。
【発明の効果】
【００１３】
請求項１に記載の第１発明によるバッテリの充電率推定装置にあっては、低電流状態の場合であっても、推定開始直後や入力信号の状態（周波数成分やノイズなど）により、推定充電率が異常な過渡応答したり推定結果がハンチングしたりして真の充電率から大きくずれるのを抑える。これにより、バッテリの充電率の推定誤差を少なく抑えることができる。
【００１４】
請求項２に記載のバッテリの充電率推定装置にあっては、加重平均処理で用いる重みを所定範囲内に収めるように制限したので、過度な重みを付与する心配がなく、また最低限の重み付けを確保できるので、バッテリの安定した充電率の推定が可能となる。
【００１６】
請求項３に記載のバッテリの充電率推定方法にあっては、低電流状態の場合であっても、推定開始直後や入力信号の状態（周波数成分やノイズなど）により、推定充電率が異常な過渡応答したり推定結果がハンチングしたりして真の充電率から大きくずれるのを抑える。これにより、バッテリの充電率の推定誤差を少なく抑えることができる。
【図面の簡単な説明】
【００１７】
【図１】本発明の実施例１に係る充電率推定装置の全体構成を示すブロック図である。
【図２】図１に示した実施例１の充電率推定装置の開放推定部で用いるバッテリ・モデル回路を示す図である。
【図３】実施例１の充電率推定装置において、充電率推定のシミュレーション結果を示す図である。
【図４】本発明の実施例２に係る充電率推定装置の全体構成を示すブロック図である。
【図５】本発明の実施例２に係る充電率推定装置の変形例を示す図である。
【発明を実施するための最良の形態】
【００１８】
以下、本発明の実施の形態を、図面に示す実施例に基づき詳細に説明する。
【実施例１】
【００１９】
まず、本発明の実施例１に係る充電率推定装置の全体構成を説明する。
この実施例１の充電率推定装置は、電気自動車に積載され、この電気モータ等へ電力を供給するバッテリの充電率（SOC: State of Charge）を推定するものである。
図１に示すように、バッテリＢＴに接続された充電率推定装置は、充放電電流検出部１と、端子電圧検出部２と、電流積算法充電率推定部３と、開放電圧推定法充電率推定部４と、重み付け計算部５と、上下重み制限部６と、加重平均処理部７と、を有する。
【００２０】
バッテリＢＴは、リチャージャブル・バッテリであり、本実施例にあっては、たとえばリチウム・イオン・バッテリを用いるが、これに限られることはなく、ニッケル・水素バッテリ等、他の種類のバッテリを用いてもよいことは言うまでもない。
【００２１】
充放電電流検出部１は、バッテリＢＴから図示しない電気モータ等へ電力を供給する場合の放電電流の大きさ、および制動時に電気モータを発電機として機能させて制動エネルギの一部を回収したり、あるいは地上の電源設備から充電したりする場合の充電電流の大きさを検出するもので、たとえば、シャント抵抗等を使ってバッテリＢＴに流れる充放電電流値ｉを検出する。検出した充放電電流値ｉは、入力信号として電流積算法充電率推定部３と開放電圧推定法充電率推定部４との双方へ入力される。
なお、電流検出部１は、上記構成に限られず種々の構造・形式を有するものを適宜採用でき、本発明の充放電電流検出手段に相当する。
【００２２】
端子電圧検出部２は、バッテリＢＴの端子間の電圧を検出するものであり、ここで検出した端子電圧値ｖは開放電圧推定法充電率推定部４へ入力される。
なお、端子電圧検出部２は、種々の構造・形式を有するものを適宜採用でき、本発明の端子電圧検出手段に相当する。
【００２３】
電流積算法充電率推定部３は、積分器３１と、開放電圧−充電率算出部３２と、満充電容量算出部３３と、容量比演算部３４と、を有している。なお、電流積算法充電率算出部３は、本発明の電流積算法充電率算出手段に相当する。
【００２４】
積分器３１には、充放電電流検出部１で検出された充放電電流値ｉが入力されて、この充放電電流値ｉを時間積算して電流積算値（充放電された電荷容量に等しい）を算出することにより、バッテリＢＴに充放電された電荷量を求める。なお、この積分にあたって、積分器３１が、初期容量値として、後述の開放電圧値−充電率関係データ算出部３２で求めた値（初期充電率SOCO）にバッテリＢＴの満充電電荷量FCCを掛けることで初期充電容量ｕ０を算出する。次いで、積分器３１が、この初期充電容量ｕ０に電流積算値を加算していくことで、バッテリＢＴに蓄えられた電荷量（残存容量）ｕ１を算出し、この残存容量ｕ１を容量比演算部３４へ出力する。
【００２５】
開放電圧値−充電率算出部３２は、あらかじめ実験で得た開放電圧値OCVと充電率SOCとの関係データをルックアップ・テーブルとして記憶しており、端子電圧検出部２で充放電開始直前に検出された電圧値ｖに略等しい開放電圧値OCVが入力され、この開放電圧値OCVに相当する充電率SOCをルックアップ・テーブルから算出し、これを初期充電率SOCOとして積分器３１へ入力する。
【００２６】
一方、満充電容量算出部３３は、満充電容量FCCの初期値である設計容量DCが記憶されており、バッテリＢＴの健全度ＳＯＨ(State of Health)が入力されて設計容量DCと掛け合わされてそのときのバッテリＢＴの満充電容量ｕ２が得られる。この満充電容量ｕ２は、容量比演算器３４へ出力される。なお、健全度ＳＯＨの時間的変化は穏やかであるので、車両電源の前回ＯＦＦ時に記憶した値、あるいは今回車両電源をＯＮした際、算出した値のいずれを用いてもよい。
【００２７】
容量比演算器３４は、積分器３４から入力された電流積算値（＝残存容量）ｕ１を、満充電容量算出部３３から入力されたｕ２で除算することで電流積算法充電率SOCCを得、この電流積算法充電率SOCCを重み付け計算部５へ出力する。
【００２８】
一方、開放電圧推定法充電率推定部４は、減算器４１と、過電圧算出部４２と、開放推定部４３と、開放電圧値−充電率算出部４４とを有する。なお、開放電圧推定法充電率推定部４は、本発明の開放電圧推定法充電率算出手段に相当する。
【００２９】
減算器４１には、端子電圧部２で検出した端子電圧ｖと過電圧算出部４２で算出した過電圧ｖ1とが入力され、端子電圧ｖから過電圧ｖ1を減算して得た開放電圧OCV（OCV＝ｖ−ｖ1）を開放電圧値−充電率算出部４４に出力する。
【００３０】
過電圧算出部４２には、充放電検出部１で検出した充放電電流ｉと後述の開放推定部４３で推定した抵抗値Ｒが入力され、充放電電流ｉと抵抗値Ｒとが掛け合わされて過電圧ｖ１（＝ｉ×Ｒ）が得られる。この過電圧ｖ１は、減算器４１へ出力される。
【００３１】
開放推定部４３では、図２に示すバッテリ等価回路モデルに基づき、バッテリＢＴの抵抗Ｒを、たとえばカルマン・フィルタなどの適応フィルタを用いて推定する。
【００３２】
すなわち、バッテリ等価回路モデルは、本実施例では同図に示すように、フォスタ型ＲＣ梯子回路（ただし１次の並列回路のみ）を用いる。すなわち、この回路は、バッテリＢＴの電解液抵抗と結線によるオーム抵抗等の直流成分を設定するバルク抵抗（Ｒ０）に、抵抗（Ｒ１：ファラデー・インピーダンスでありバッテリＢＴ中の電荷移動過程における動的振る舞いを表す反応抵抗として設定）とコンデンサ（Ｃ１：非ファラデー・インピーダンスであり電気二重層を表わすものとして設定）の並列回路を接続したものである。また、同図中には、開放電圧を表わすコンデンサＣＯＣＶの開放電圧値をOCV、端子電圧値をｖで、また上記並列回路で発生する過電圧値をｖ１でそれぞれ表示してある。端子電圧ｖは、上述したように、開放電圧値OCVと過電圧値ｖ１との合計に等しくなる。抵抗Ｒは、バルク抵抗Ｒ０とファラデー・インピーダンスＲ１とを合算した値となる。
【００３３】
開放電圧値−充電率算出部４４は、電流積算法充電率推定部３の開放電圧値−充電率算出部３２と同様に、あらかじめ実験で得た開放電圧値OCVと充電率SOCとの関係データをルックアップ・テーブルとして記憶しており、減算器４１で得られた開放電圧値OCVが入力されて、この開放電圧値OCVに相当する充電率SOCＶを上記ルックアップ・テーブルから算出し、重み付け計算部５と加重平均処理部６に出力する。
【００３４】
重み付け計算部５は、第１微分器５１と、第２微分器５２と、減算器５３と、乗算器５４と、を有する。なお、重み付け計算部５は、本発明の重み付け計算手段に相応する。
【００３５】
第１微分器５１は、電流積算法充電率算出部３の容量比演算部３４で得られた電流積算法充電率SOCCが入力され、これをｚ変換により離散化して微分(差分)することで、電流積算法充電率微分値ΔSOCCを得る。すなわち、この電流積算法充電率微分値ΔSOCCは、電流積算法充電率SOCCの変化量（レート）を表すもので、この値は減算器５３に出力される。
【００３６】
第２微分器５２は、開放電圧推定法充電率算出部４の開放電圧−充電率算出部４４で得られた開放電圧推定法充電率SOCVが入力され、これをｚ変換により離散化して微分(差分)することで、開放電圧推定法充電率微分値ΔSOCVを得る。この値は、減算器５３に出力される。
【００３７】
減算器５３は、電流積算法充電率微分値ΔSOCCから開放電圧推定法充電率微分値ΔSOCVを減算して、この値を乗算器５４へ出力する。
【００３８】
乗算器５４は、減算器５３から入力された減算値にゲインAWを掛けて重みWを上下重み制限部６に出力する。ゲインAWは、本実施例にあっては、たとえば3000000に設定する。
【００３９】
上下重み制限部６は、重みの大きさの上限値および下限値が所定値を超えないようにするものである。なお、上下重み制限部６は、本発明の上下重み制限手段に相当する。
【００４０】
上下重み制限部６では、重みWの上限値は過度な重みを付与しないようにするため、また下限値は最低限の重みを確保するための大きさであって、本実施例では、たとえば上限値を3000、下限値を100とし、Wが100＜W＜3000の範囲内の値をとるようにする。すなわち、重みWが上限値以上の場合には上限値と等しくし、下限値以下の場合には下限値と等しくし、上限値と下限値の間にある場合には、そのままの値となるようにする。このようにして制限された重みW*は、加重平均処理部７に出力される。
【００４１】
加重平均処理部７は、開放電圧推定法充電率算出部４の開放電圧−充電率算出部４４から入力された開放電圧推定法充電率SOCVと、上下重み制限部６から入力された制限重みW*とに基づき、開放電圧推定法充電率SOCVの現在値とその１つ前の値との加重平均を計算する。
すなわち、この加重平均は次式に基づき計算する。
（SOCV[k]＋（｜W*|−１）・SOCV[ｋ−１]）／｜W*|
ここで、｜｜は絶対値、ｋは開放電圧推定法充電率SOCVｒのデータのうちｋ番目を、またｋ−１はその一つ前を意味する。
このように加重平均処理を行った開放電圧推定法充電率SOCVは、開放電圧推定法加重平均充電率SOCaveとして加重平均処理部７から出力される。
なお、加重平均処理部７は、本発明の加重平均処理手段に相当する。
【００４２】
次に、以上のように構成した実施例１のバッテリＢＴの充電率推定装置の作用につき説明する。
【００４３】
まず、車両のイグニッション・キーを回してバッテリＢＴからの放電を可能にすると、充放電電流検出部１がバッテリＢＴの充放電電流ｉを検出して電流積算法充電率算出部３の積分器３１および開放電圧推定法充電率算出部４の過電圧算出部４２へとそれぞれ出力する。
また、これと同時に、端子電圧検出部２がバッテリＢＴの端子電圧ｖを検出し、電流積算法充電率算出部３の開放電圧−充電率算出部３２および開放電圧推定法充電率算出部４の減算器４１へとそれぞれ出力される。
【００４４】
電流積算法充電率算出部３では、放電開始当初に端子電圧検出部２で検出した端子電圧ｖがほぼ開放電圧OCVに近いことから、その検出値に基づいて開放電圧−充電率算出部３２で初期充電率SOCOを得、この初期充電率SOCOに記憶してあった満充電容量FCCを掛けて初期充電容量SOC0を算出し、これを積分器３１へ出力し、ここで実行する積分の初期値とする。積分器３１では、充放電電流検出部１から入力されてくる充放電電流ｉを時間積分して上記初期値に加算していくことで、バッテリＢＴのそのときどきの残存容量ｕ１を算出する。
【００４５】
一方、満充電容量算出部３３では、健全度ＳＯＨとあらかじめ記憶しておいた設計容量DCとを掛け合わせて、そのときの満充電容量ｕ2を算出する。
容量比演算部３４では、積分器３１で得られた残存容量ｕ１を満充電容量算出部３３で得られた満充電容量ｕ２で除算することで、電流積算法充電率SOCＣを算出し、この値を重み計算部５の大１微分器５１へと出力する。
【００４６】
重み付け計算部５では、第１微分器５１が電流積算法充電率算定部３の容量比演算部３４で得られた電流積算法充電率SOCＣをｚ変換して離散化し、微分によりその変化量を求める一方、第２微分器５２が開放電圧推定法充電率算出部４の開放電圧−充電率算出部４４で得られた開放電圧推定法充電率SOCVをｚ変換して離散化し、微分によりその変化量を求める。これらの変化量は減算器５３に入力されて、ここで前者から後者が減算され、この減算値は乗算器５４にてゲインAWが掛けられて重みWが得られる。
この重みWは、上下重み制限部６へ入力されて、ここで上限値と下限値との範囲内の値となるように制限されて制限された重みW*として、加重平均処理部７に出力される。
【００４７】
加重平均処理部７では、開放電圧推定法充電率算出部４の開放電圧−充電率算出部４４で得られた開放電圧推定法充電率SOCVと、上下重み制限部６で得られた制限された重みW*とを用いて、式（SOCV[k]＋（｜W*|−１）・SOCV[ｋ−１]）／｜W*|を用いて開放電圧推定法充電率SOCVの現在値とその一つ前の値との加重平均値を算出し、開放電圧推定法加重平均充電率SOCaveを出力する。この開放電圧推定法加重平均充電率SOCaveは、バッテリＢＴの充電率SOCと見なされる。
【００４８】
なお、上記式から分かるように、この加重平均処理にあっては、電流積算法充電率SOCCの変化量である電流積算法充電率微分値ΔSOCCと開放電圧推定法充電率SOCVの変化量である開放電圧推定法充電率微分値ΔSOCVとの差（充電率変化量の乖離）が大きくなると前回（ｋ−１番目）の値の重み付けを大きくし、その差が小さいと前回の値の重み付けを小さくするようにしている。
【００４９】
充電率推定装置は、電流積算法充電率算出部３で得られた電流積算法充電率SOCCと、加重平均処理部７で得られた開放電圧推定法加重平均充電率SOCaveとを、公知の方法にて、状況に応じて使い分け、あるいは組み合わせて（いわゆるセンサフュージョン技術）、バッテリＢＴの充電率SOCを推定する。
【００５０】
図３に、実施例１のバッテリの充電率推定装置を用いて充電率を推定したシミュレーション結果を示す。
【００５１】
同図において、最上段には、充放電の電流値ｉの感度（ゲイン＝0.9）に誤差を与えた場合の電流値ｉを示し、中段には、上記電流値ｉを与えた際の各充電率、すなわち充電率SOCの真値を実線で、電流積算法充電率SOCCを２点鎖線で、開放電圧推定法充電率SOCVを１点鎖線で、また開放電圧推定法加重平均充電率SOCaveを点線で示し、最下段には、これら各充電率と真値との推定誤差（絶対値）を示す。なお、開始から200秒は、電流積算法にて充電率を算出している。
【００５２】
同図のシミュレーション結果から、推定開始から1.2×10４秒付近までの時間は開放電圧推定法充電率SOCVの推定誤差が、大きくかつ安定しないが、開放電圧推定法制限充電率SOCｖｒ、すなわちバッテリＢＴの充電率SOCの推定誤差は、小さく安定しており、推定誤差のずれが抑えられていることが分かる。
【００５３】
以上の説明から分かるように、実施例１のバッテリの充電率推定装置は、以下の効果を有する。
【００５４】
すなわち、実施例１のバッテリの充電率推定装置にあっては、電流積算法充電率算出部３で算出した電流積算法充電率SOCCの変化量（電流積算法充電率微分値ΔSOCC）と開放電圧推定法充電率算出部４で算出した開放電圧推定法充電率SOCVの変化量（開放電圧推定法充電率微分値ΔSOCV）との差に応じた重みWを決定し、この重みWを用いて開放電圧推定法充電率SOCVの今回の値とこの前回の値との加重平均を取り、開放電圧推定法加重平均充電率SOCaveを算出するようにした。
【００５５】
これにより、推定開始直後や入力信号の状態（周波数成分やノイズなど）に起因して開放電圧推定法充電率SOCVの推定が大きくずれるような場合にあっても、短時間の充電率SOC変動量の推定では電流積算法の方が開放電圧推定法より原理的に優れていることから、重み付け計算部５で電流積算法充電率SOCCの変化量と開放電圧推定法充電率SOCVの変化量との差の大小に応じて重みWを決め、加重平均処理部７で誤差集積が少なく常時観測データが不要な開放電圧推定法による開放電圧推定法充電率SOCVを加重平均処理して、上記差が大きく、このため充電率の推定が大きくずれるような場合には重みWを大きくして前回の開放電圧推定法充電率SOCVの重み付けが大きくなるようにした。
【００５６】
この結果、加重平均処理をした開放電圧推定法加重平均充電率SOCaveの値は、大きくずれることが抑制される。したがって、上記のような場合にあっても、推定充電率が異常な過渡応答したり推定結果がハンチングしたりして真の充電率から大きくずれてしまうのを防いで、充電率の推定誤差を小さく抑えることができる。
【００５７】
また、重み付け計算部５で計算した重みWを上下重み制限部６にて、その上限値および下限値を制限して得た重みW＊が所定範囲内に収まる（重みWが上限値を越す場合には上限値に、下限値を下回る場合には下限値に、上限値と下限値との間にある場合にはそのままの値となる）ように処理して加重平均処理部７での加重平均処理に使用するようにした。
【００５８】
したがって、加重平均処理部７での加重平均処理にあたって、過度な重みを付与することがなく、かつ最低限の重みを確保することができるようになり、安定した充電率の推定が可能となる。
【実施例２】
【００５９】
次に、本発明の実施例２に係るバッテリの充電率推定装置を添付の図面に基づき説明する。
なお、本実施例の説明にあたっては、実施例２の構成のうち、実施例１と実質的の同じものについては実施例１と同じ番号を付してそれらの説明は省略し、相違点につき説明する。
【００６０】
実施例２の充電率推定装置を、図４に示す。本実施例にあっては、実施例１と以下の点が異なる。
すなわち、電流積算法充電率算出部３が電流積算法分散算出部３５を有し、開放電圧推定法充電率推定部４が開放電圧推定法分散算出部４５を有し、さらに誤差補正部８が新たに追加されている点である。
【００６１】
電流積算法分散算出部３５は、あらかじめ得られている充放電電流検出部１の検出精度に関する情報に基づき、再帰的行列演算を行い、電流積算法分散Qｉを求め、誤差補正部８へ出力する。
同様に、あらかじめ得ている充放電電流検出部１と端子電圧検出部２の検出精度に関する情報に基づき、開放電圧の分散POCVを算出し、この値の基づき開放電圧推定法充電率SOCｖの分散（開放電圧推定法分散：PSOCV＝Qｖ）を算出し、これを誤差推定部８へ出力する。
【００６２】
誤差補正部８は、第１減算器８１と、誤差推定部８２と、第２減算器８３と、を備えており、電流積算法充電率SOCＣの誤差ｎｉを算出して、電流積算法充電率算出部３で算出した電流積算法充電率SOCＣから推定誤差ｎｉを除去した補正充電率SOCＣＶを得るものである。なお、誤差補正部８は、本発明の充電率補正手段に相当する。
【００６３】
第１減算器８１は、開放電圧推定法充電率推定部４から入力された開放電圧推定法充電率SOCｖから電流積算法充電率算出部３１から入力された電流積算法充電率SOCＣを減算し、この減算値ｙを誤差推定部８２へ出力する。
【００６４】
誤差推定部８２は、電流積算法充電率算出部３の電流積算法分散算出部３５から入力された電流積算法分散Qｉと、開放電圧推定法推定部４から入力された開放電圧推定法分散Qｖと、第１減算器８１から入力された減算値ｙと、に基づき、カルマン・フィルタを用いて電流積算法充電率SOCＣの推定誤差ｎｉを推定し、第２減算器８３へ出力する。
【００６５】
誤差補正部８でのカルマン・フィルタは、誤差モデルで推定した誤差を、第１減算器８１で算出した減算値ｙと比較し、両者に差があればこの差にカルマン・ゲインを掛けてフィードバックし、誤差が最小となるように誤差モデルを修正していく。これを逐次繰り返して、真の充電率推定誤差を推定する。
なお、この詳細については、上記同様、本出願人による特願２０１１−００７８７４号に説明してある。
【００６６】
第２減算器８３では、電流積算法充電率算出部３から得た電流積算法充電率SOCＣから誤差推定部８２で得た誤差ｎｉを減算して補正電流積算法充電率SOCＣＶを得、重み付け計算部５と加重平均処理部７へ出力する。なお、補正電流積算法充電率SOCＣＶは、本発明の補正充電率に相当する。
【００６７】
加重平均処理部７では、誤差補正部８から入力されたSOCＣＶと上下重み制限部６から入力された制限された重みｗ＊とに基づき、次式から開放電圧推定法加重平均充電率SOCaveを求める。この開放電圧推定法加重平均充電率SOCaveは、バッテリＢＴの充電率SOCと見なされる。
（SOCＣＶ[k]＋（｜W*|−１）・SOCＣＶ[ｋ−１]）／｜W*|
その他の構成は、実施例１と同様である。
【００６８】
上記のように構成された実施例２のバッテリＢＴの充電率推定装置にあっては、実施例１の効果に加え、下記の効果を有する。
すなわち、実施例２のバッテリＢＴの充電率推定装置では、誤差補正部８にて、開放電圧推定法充電率SOCｖおよび電流積算法充電率SOCｃを用いて補正電流積算法充電率SOCＣＶを求め、変化量制限処理部６に入力するようにしたので、その分、バッテリＢＴの充電率SOCの推定精度を上げることが可能となる。
【００６９】
以上、本発明を上記実施例に基づき説明してきたが、本発明はこの実施例に限られず、本発明の要旨を逸脱しない範囲で設計変更等があった場合でも、本発明に含まれる。
【００７０】
たとえば、電流積算法充電率算出部３での初期値の求め方や、開放電圧推定法充電率算出部４での開放電圧の求め方は、上記実施例と異なるようにしてもよい。
【００７１】
また、重み付け計算部５の乗算器５４で用いるゲインAWの大きさや、上下重み制限部６で用いる上限値および下限値は、充電率推定装置の特性や設計目標等に応じて適宜設定することができる。
【００７２】
また、実施例２では、誤差補正部８で電流積算法充電率SOCｃおよび開放電圧推定法充電率を用いて誤差を推定して補正電流積算法充電率SOCＣＶを求め、重み付け計算部５および加重平均処理部６で利用するようにしたが、誤差補正部８の代わりに図５に示す誤差補正部９を用い補正開放電圧推定法充電率SOCｖｖを求め、この値を、重み付け計算部５および加重平均処理部６に入力するようにしてもよい。
【００７３】
すなわち、誤差補正部９は、第１減算器９１と、誤差推定部９２と、第２減算器９３と、を備えており、開放電圧推定法充電率SOCＶの誤差ｎＶを算出して、開放電圧推定法充電率算出部４で算出した開放電圧推定法充電率SOCＶから推定誤差ｎＶを除去した補正充電率SOCｖｖを得るものである。なお、誤差補正部９は、本発明の充電率補正手段に相当する。
【００７４】
第１減算器９１は、電流積算法充電率算出部３１から入力された電流積算法充電率SOCＣから開放電圧推定法充電率推定部４から入力された開放電圧推定法充電率SOCｖを減算し、この減算値ｙを誤差推定部９２へ出力する。
【００７５】
誤差推定部９２は、電流積算法充電率算出部３の電流積算法分散算出部３５から入力された電流積算法分散Qｉと、開放電圧推定法推定部４から入力された開放電圧推定法分散Qｖと、第１減算器９１から入力された減算値ｙと、に基づき、カルマン・フィルタを用いて開放電圧推定法充電率SOCｖの推定誤差ｎｖを推定し、第２減算器９３へ出力する。
【００７６】
第２減算器９３では、海保電圧推定法充電率算出部４から得た開放電圧推定法充電率SOCｖから誤差推定部９２で得た誤差ｎｖを減算して補正開放電圧推定法充電率SOCｖｖを得、重み付け計算部５および加重平均処理部６へ出力する。加重平均処理部６では、補正開放電圧推定法充電率SOCｖｖを用いて開放電圧法制限充電率SOCｖｒを算出し、この値をバッテリＢＴの充電率SOCとする。なお、補正開放電圧推定法充電率SOCｖｖは、本発明の補正充電率に相当する。
【００７７】
このように、誤差補正部では、補正開放電圧推定法充電率SOCｖｖあるいは補正電流積算法充電率SOCＣＶのいずれを求めるようにしてもよい。この理由は、誤差補正部８、９では、開放電圧推定法充電率SOCｖおよび電流積算法充電率SOCＣの両方を用いて得た推定誤差を除去するようにしているので、補正開放電圧推定法充電率SOCｖｖ、補正電流積算法充電率SOCＣＶのいずれの値も実質的に同じであるとみなせるからである。
【符号の説明】
【００７８】
ＢＴ      バッテリ
１        充放電検出部（充放電検出手段）
２        端子電圧検出部（端子電圧検出手段）
３        電流積算法充電率算出部（電流積算法充電率算出手段）
３１      積分器
３２      開放電圧−充電率算出部
３３      満充電容量算出部
３４      容量比演算部
３５      電流積算法分散算出部
４        開放電圧推定法充電率算出部（開放電圧推定法充電率算出手段）
４１      減算器
４２      過電圧算出部
４３      開放推定部
４４      開放電圧−充電率算出部
４５      開放電圧推定法分散算出部
５        重み付け計算部（重み付け計算手段）
５１      第１微分器
５２      第２微分器
５３      減算器
５４      乗算器
６        上下重み制限部（上下重み制限手段）
７        加重平均処理部（加重平均処理手段）
【図１】
0005389137.tif 000002
【図２】
0005389137.tif 000003
【図３】
0005389137.tif 000004
【図４】
0005389137.tif 000005
【図５】
0005389137.tif 000006